(57)【要約】付属の広告を分配する方法、装置及びシステムが提供される。それらは、プロファイル情報を受け取り、受け取られたプロファイル情報に関連する付属の広告をデータベースから検索し、表示デバイスのスクリーンの少なくとも一部分での提示のために、受け取られたプロファイル情報に関連する付属の広告を表示デバイスへ送ることを含む。一例において、第１表示デバイスは主たる広告を提示し、補助的なスクリーンデバイスは、主たる広告の提示と一致した又はそれに対する時点で、関連する対象の付属の広告を提示する。特定の視聴者／聴衆に提示される付属の広告は、付属の広告に関連するメタデータと、その特定の視聴者／聴衆の既知の特性との照合によって、選択される。
2016533084.tif 000002
【特許請求の範囲】
【請求項１】
付属の広告の分配のための方法であって、
プロファイル情報を受け取るステップと、
受け取られた前記プロファイル情報に関連する付属の広告をデータベースから探すステップと、
表示デバイスのスクリーンの少なくとも一部分での提示のために、前記受け取られたプロファイル情報に関連する付属の広告を前記表示デバイスへ送るステップと
を有する方法。
【請求項２】
少なくとも１つの付属の広告に関連する主たる広告がいつ第１表示デバイスで提示されるべきかに関する情報を受け取るステップ
を有する請求項１に記載の方法。
【請求項３】
前記第１表示デバイスでの前記関連する主たる広告の提示と一致した又は該提示に対する時点で、第２表示デバイスのスクリーンでの提示のために送られた付属の広告を提示するステップ
を有する請求項２に記載の方法。
【請求項４】
第１表示デバイスで提示されているプログラム及びチャンネルの少なくとも１つに関する情報を受け取るステップ
を有する請求項１に記載の方法。
【請求項５】
前記第１表示デバイスで提示されている前記プログラムと一致した又は該プログラムに対する時点で、前記第１表示デバイスで提示されている前記プログラムに関連する付属の広告を提示するステップ
を有する請求項４に記載の方法。
【請求項６】
付属の広告は、該付属の広告が提示されるよう意図される対象聴衆及び視聴者の少なくとも１つの特性を特定するメタデータを含む、
請求項１に記載の方法。
【請求項７】
前記表示デバイスは、第２表示デバイスを有し、
プログラムコンテンツ及び主たる広告は、第１表示デバイスにおいて提示される、
請求項１に記載の方法。
【請求項８】
付属の広告を受け取るステップと、
前記付属の広告を記憶するステップと
を有する請求項１に記載の方法。
【請求項９】
前記プロファイル情報は、視聴者入力を受けるチェックインアプリケーション、アドバタイザ、テレビジョンネットワーク、及び表示デバイスのうちの少なくとも１つから受け取られる、
請求項１に記載の方法。
【請求項１０】
前記プロファイル情報は、少なくとも１つの付属の広告の意図された視聴者の特性情報を有する、
請求項１に記載の方法。
【請求項１１】
異なる表示デバイスへの通信のためにプロファイル特性を介して付属の広告をグループ化するステップ
を有する請求項１に記載の方法。
【請求項１２】
付属の広告を分配する装置であって、
プログラムルーチン、コンテンツ及びデータを記憶するメモリと、
前記プログラムルーチンを実行するプロセッサと
を有し、当該装置は、
プロファイル情報を受け取り、
受け取られた前記プロファイル情報に関連する付属の広告をデータベースから探し、
表示デバイスのスクリーンの少なくとも一部分での提示のために、前記受け取られたプロファイル情報に関連する付属の広告を前記表示デバイスへ送る
よう構成される、装置。
【請求項１３】
前記プロファイル情報を受け取るアプリケーションプロバイダと、
前記受け取られたプロファイル情報に関連する付属の広告をデータベースから探し、表示デバイスのスクリーンの少なくとも一部分での提示のために、前記受け取られたプロファイル情報に関連する付属の広告を前記表示デバイスへ送る付属広告プロバイダと
を有する請求項１２に記載の装置。
【請求項１４】
当該装置は、セットトップボックス、表示デバイス、及びモバイル通信デバイスのうちの少なくとも１つの少なくとも一部分を有する、
請求項１２に記載の装置。
【請求項１５】
当該装置は、
少なくとも１つの付属の広告に関連する主たる広告がいつ第１表示デバイスのスクリーンで提示されるべきかに関する情報を受け取り、
前記第１表示デバイスのスクリーンでの前記主たる広告の提示と一致した又は該提示に対する時点における第２表示デバイスのスクリーンでの提示のために関連する付属の広告を送る
よう更に構成される、
請求項１２に記載の装置。
【請求項１６】
付属の広告を分配するシステムであって、
少なくとも１つの付属の広告を記憶するデータベースと、
プログラミングコンテンツ及び主たる広告を表示する第１表示デバイスと、
付属の広告を表示する第２表示デバイスと、
プロファイル情報を受け取り、
受け取られた前記プロファイル情報に関連する付属の広告を前記データベースから探し、
前記第２表示デバイスのスクリーンの少なくとも一部分での提示のために、前記受け取られたプロファイル情報に関連する付属の広告を前記第２表示デバイスへ送る
よう構成される装置と
を有するシステム。
【請求項１７】
前記第２表示デバイスは、ユーザが前記プロファイル情報を入力することを可能にするチェックインアプリケーションを有する、
請求項１６に記載のシステム。
【請求項１８】
前記第２表示デバイスは、前記第１表示デバイスで提示されているプログラム及びチャンネルの少なくとも１つに関する情報を前記装置へ与える、
請求項１７に記載のシステム。
【請求項１９】
前記装置は、
少なくとも１つの付属の広告に関連する主たる広告がいつ前記第１表示デバイスのスクリーンで提示されるべきかに関する情報を受け取り、
前記第１表示デバイスのスクリーンでの前記主たる広告の提示と一致した又は該提示に対する時点における前記第２表示デバイスのスクリーンでの提示のために関連する付属の広告を送る
よう更に構成される、
請求項１６に記載のシステム。
【発明の詳細な説明】
【技術分野】
【０００１】
本原理は、概して、広告配信のためのシステム及び方法に関係があり、特に、複数の相関性がある付属の広告を複数のスクリーンにおいて配信するシステム及び方法に関係がある。
【背景技術】
【０００２】
例えばテレビジョンセットのような主たるディスプレイの使用とともに使用されている場合に第２のスクリーンデバイスとも見なされる、例えば携帯電話機及びタブレットのような多く種類のポータブルデバイスの幅広い導入によれば、視聴者は、自身らのポータブルデバイスにおいてコンテンツをますます見るようになっており、結果として、視聴者の注意はテレビジョン広告からますます離れる方に向かい、よって、テレビジョン宣伝活動の有効性を低下させる。
【０００３】
加えて、テレビジョン視聴者は、どのテレビジョンチャンネル及びプログラミングを彼らが見ているのかを他者に知らせるために、第２のデバイスにおいてＴＶチェックインアプリケーションを使用し始めている。そのような視聴者は、彼らがプログラムを見ているときにプログラミングコンテンツに関して自身の知り合いとチャットもする。ＴＶチェックインアプリケーションプロバイダの主要な財源は、彼らのアプリケーションのインターフェイスでの広告の分配によってもたらされる。それにもかかわらず、関連する広告をユーザに如何にして提供するかは、それらのプロバイダにとって未解決の問題のままである。
【発明の概要】
【０００４】
本発明の実施形態は、付属の広告の分配のための方法、装置及びシステムを提供することによって、先行技術のそれら及び他の欠点に対処する。
【０００５】
本発明の一実施形態において、付属の広告の分配のための方法は、プロファイル情報を受け取るステップと、受け取られた前記プロファイル情報に関連する付属の広告をデータベースから探すステップと、表示デバイスのスクリーンの少なくとも一部分での提示のために、前記受け取られたプロファイル情報に関連する付属の広告を前記表示デバイスへ送るステップとを有する。本発明の代替の実施形態において、当該方法は、少なくとも１つの付属の広告に関連する主たる広告がいつ第１表示デバイスのスクリーンで提示されるべきかに関する情報を受け取るステップと、前記第１表示デバイスのスクリーンでの前記主たる広告の提示と一致した又は該提示に対する時点における第２表示デバイスのスクリーンでの提示のために関連する付属の広告を送るステップとを更に有することができる。
【０００６】
本発明の代替の実施形態において、付属の広告を分配する装置は、プログラムルーチン、コンテンツ及びデータを記憶するメモリと、前記プログラムルーチンを実行するプロセッサとを有する。本発明の装置は、プロファイル情報を受け取り、受け取られた前記プロファイル情報に関連する付属の広告をデータベースから探し、表示デバイスのスクリーンの少なくとも一部分での提示のために、前記受け取られたプロファイル情報に関連する付属の広告を前記表示デバイスへ送るよう構成される。本発明の装置は、少なくとも１つの付属の広告に関連する主たる広告がいつ第１表示デバイスのスクリーンで提示されるべきかに関する情報を受け取り、前記第１表示デバイスのスクリーンでの前記主たる広告の提示と一致した又は該提示に対する時点における第２表示デバイスのスクリーンでの提示のために関連する付属の広告を送るよう更に構成され得る。
【０００７】
本発明の代替の実施形態において、付属の広告を分配するシステムは、少なくとも１つの付属の広告を記憶するデータベースと、プログラミングコンテンツ及び主たる広告を表示する第１表示デバイスと、付属の広告を表示する第２表示デバイスと、プロファイル情報を受け取り、受け取られた前記プロファイル情報に関連する付属の広告を前記データベースから探し、前記第２表示デバイスのスクリーンの少なくとも一部分での提示のために、前記受け取られたプロファイル情報に関連する付属の広告を前記第２表示デバイスへ送るよう構成される装置とを有する。本発明の装置は、少なくとも１つの付属の広告に関連する主たる広告がいつ第１表示デバイスのスクリーンで提示されるべきかに関する情報を受け取り、前記第１表示デバイスのスクリーンでの前記主たる広告の提示と一致した又は該提示に対する時点における第２表示デバイスのスクリーンでの提示のために関連する付属の広告を送るよう更に構成され得る。
【図面の簡単な説明】
【０００８】
本発明の教示は、添付の図面に関連して以下の詳細な説明を検討することによって、容易に理解され得る。
【図１】本発明の実施形態に従って、付属の広告の分配のためのシステムの高位ブロック図を表す。
【図２】本発明の実施形態に従って、図１のシステムで実施され得るチェックインサーバの高位ブロック図を表す。
【図３】本発明の実施形態に従って、付属の広告の分配のための方法のフロー図を表す。  図面は、本発明の概念を説明することを目的としており、必ずしも、本発明を表す可能な構成のみを説明するものでないことが理解されるべきである。理解するのを助けるよう、同じ参照符号は、必要に応じて、図どうしで共通する同じ要素を表すために使用されている。
【発明を実施するための形態】
【０００９】
本発明は、有利なことには、付属の広告の分配のための方法、装置及びシステムを提供する。たとえ本発明がテレビジョンプログラミング及び宣伝活動という脈略の中で主として記載されるとしても、本発明の具体的な実施形態は、本発明の適用範囲を制限するものとして扱われるべきではない。本発明の概念は、有利なことには、他のタイプのプログラミングコンテンツ及び宣伝活動に適用され得ることが当業者によって認識されるとともに、本発明の教示によって知られるであろう。例えば、本発明の概念は、ウェブ及びインターネット上のインターネットプロトコルプログラミング及び宣伝活動に適用され得る。
【００１０】
図示される様々な要素の機能は、専用のハードウェアに加えて、適切なアプリケーションに関連してソフトウェアを実行することが可能なハードウェアの使用を通じて、提供され得る。プロセッサによって提供される場合に、機能は、単一の専用プロセッサによって、単一の共有プロセッサによって、又は一部が共有され得る複数の個別プロセッサによって、提供され得る。更には、語「プロセッサ」又は「コントローラ」の明示的な使用は、ソフトウェアを実行することが可能なハードウェアにもっぱら言及すると解釈されるべきではなく、制限なしに、デジタル信号プロセッサ（ＤＳＰ）ハードウェア、ソフトウェアを記憶する読出専用メモリ（ＲＯＭ）、ランダムアクセスメモリ（ＲＡＭ）、及び不揮発性ストレージを暗に含むことができる。更には、本発明の原理、態様、及び実施形態、並びにそれらの具体例を挙げているここでの全ての記述は、それらの構造上及び機能上の同等物を両方とも包含するよう意図される。加えて、そのような同等物は、現在知られている同等物及び将来開発される同等物（すなわち、構造にかかわらず、同じ機能を実行するよう開発されたあらゆる要素）の両方ともを含む。
【００１１】
よって、例えば、ここで提示されているブロック図は、本発明の原理を具現する実例となるシステムコンポーネント及び／又は回路構成の概念図を表すことが当業者によって認識されるであろう。同様に、如何なるフローチャート、フロー図、状態遷移図、擬似コード、及び同様のものも、コンピュータ可読媒体において実質的に表現され、故にコンピュータ又はプロセッサによって、そのようなコンピュータ又はプロセッサが明示的に示されていようとなかろうと実行され得る様々なプロセスを表す。
【００１２】
更には、添付の図面において表されている構成するシステムコンポーネント及び方法の一部はソフトウェアにおいて実施され得るので、システムコンポーネント又はプロセス機能ブロックどうしの間の実際の接続は、本原理がプログラムされる様態に応じて異なってよい。ここでの教示を鑑みて、当業者は、本原理のそれら及び同様の実施又は構成を考えることができるであろう。
【００１３】
本発明の「一実施形態」又は「実施形態」及びそれらの他の変形への本明細書中の言及は、その実施形態に関連して記載される特定の特徴、構造、特性などが本発明の少なくとも１つの実施形態に含まれることを意味する。よって、「一実施形態において」又は「実施形態において」との言い回しの出現は、本明細書の全体を通して様々な箇所で現れているあらゆる他の変形と同様に、必ずしも全てが同じ実施形態に言及しているわけではない。
【００１４】
本発明の実施形態は、様々な実施形態において、ＴＶ視聴者の主たるスクリーンデバイスに表示されるビデオコンテンツ及び広告の配信の間の、例えば、携帯電話機、タブレット、ラップトップなどのような、ＴＶ視聴者の補助的なスクリーンデバイスへの付属の対象となる広告の配信を含む。本発明の一実施形態において、付属の広告の配信は、ＴＶ視聴者のプロファイル情報と、付属の広告が対象とする対象聴衆の特性（そのような特性は、記憶のために付属の広告を特定するために使用される。）との照合によって、実行される。本発明の実施形態は、異なる付属の広告が、異なるプロファイル特性を有する視聴者に、それらの視聴者が主たるディスプレイにおいて同じ主たるプログラム又は広告を見ているにもかかわらず、提示されることを可能にする。
【００１５】
図１は、本発明の実施形態に従って、付属の広告の分配のためのシステム１０の高位ブロック図を表す。本発明の一実施形態に従って、本発明のチェックインサーバは、ユーザ／テレビジョン視聴者のプロファイルに関する情報を受け取り、ユーザプロファイルに関連する付属の広告を付属広告データベースから探し、ユーザへの表示のためにその関連する付属の広告を第２表示デバイスへ送る。図１の実施形態では、ＴＶネットワーク１２は、広告をＴＶネットワーク１２へ供給するアドバタイザ１４へ宣伝活動スケジュールを与える。ＴＶネットワーク１２は、主たる広告を含むＴＶプログラムをユーザの第１表示デバイス１６（実例として、テレビジョンセット）へ送信する。すなわち、ＴＶネットワーク１２は、広告を含むブロードキャストプログラムを、ディスプレイ１６での提示のために、放送基盤を介してユーザの主たるディスプレイ１６へ送信する。
【００１６】
図１のシステム１０は、チェックインサーバ１８を更に有する。図１のチェックインサーバ１８は、ユーザの第２又は補助表示デバイス（実例として、携帯電話機２４）と双方向に通信するとともに、アドバタイザ１４と通信する。アドバタイザ１４は、付属の広告がどのようなユーザ又は対象聴衆を対象とするのかに関する情報を少なくとも送る。図１の実施形態では、チェックインサーバ１８は、アプリケーションプロバイダ２０と、付属広告プロバイダ２２とを有する。本発明の様々な実施形態において、図１の実施形態の双方向通信は、如何なる既知の有線又は無線通信プロトコルも用いて実施され得る。そのような通信プロトコルの例には、８０２．１１ｂ及び／又は８０２．１１ｇ無線プロトコル、より高い周波数でのセルラー通信接続、及び同様のものを含み得るＷｉ−Ｆｉ接続が挙げられる。当業者には明らかなように、それらの接続、インターフェイス及び通信プロトコルは、本原理の意図される適用範囲から逸脱することなしに、変更又は修正され得る。
【００１７】
図１の実施では、アドバタイザ１４は、放送するよう且つ第１表示デバイス（実例として、図１のＴＶセット１６）で表示されるようＴＶネットワークのための主たる広告を提供するだけでなく、主たる広告において宣伝されている製品に関係があるが、例えば、ユーザプロファイルを有するユーザ特性、人口統計などに基づき、より的を絞られ、特定の聴衆に表示されるよう意図される付属の広告をも提供する。
【００１８】
図１の実施形態では、例えばＴＶセット１６でＴＶプログラムを見ているときに、ユーザ／視聴者は、例えば携帯電話機、タブレット又は他のメディア表示デバイスのような第２スクリーンデバイス（実例として、携帯電話機２４）でＴＶチェックインアプリケーションを使用して、主たるディスプレイ１６で提示されているＴＶプログラム／チャンネルに関して自身の友人と対話する。図１の実施形態では、ユーザ／視聴者は、本発明に従う的を絞った宣伝活動を達成するために付属の広告をユーザ／視聴者と関連付けるよう使用され得る、例えば誕生日、生活圏、年齢、及び何らかの又は全てのタイプの好み又は個人情報といったプロファイル情報を入力するようＴＶチェックインアプリケーションによって指示される。すなわち、図１のチェックインサーバ１８は、そのようなプロファイル情報を使用して、付属の広告を視聴者と関連付ける。より具体的には、付属の広告は、特定の広告が対象とする対象聴衆及び視聴者の少なくとも１つの特性を特定する、例えばメタデータのような情報を含むことができる。チェックインサーバ１８は、次いでその情報を使用して、チェックインアプリケーションによって特定される第２スクリーンデバイスのユーザを対象とする具体的な付属の広告を関連付け、関連付けられた付属の広告を第２スクリーンデバイス、具体的に、図１の実施形態では携帯電話機２４へ送る。より具体的には、チェックインアプリケーションを用いて入力されたプロファイル情報によって特定されるユーザを対象とする１つ以上の付属の広告が特定されると、かかる広告は、第２スクリーンデバイスのスクリーンの少なくとも一部分での表示のために、特定されたユーザの第２スクリーンデバイス（例えば、図１の実施形態では携帯電話機２４）へ送られ得る。
【００１９】
語「補助表示デバイス」、「第２スクリーンデバイス」、「第２表示デバイス」、「補助ディスプレイ」及び同様のものは、ここでの教示の全体を通じて同義的に使用され、付属の広告が本発明の様々な実施形態に従って表示され得るディスプレイ又はスクリーンに言及するよう意図される。図１の実施形態では、第２表示デバイス２４は第１表示デバイス１６とは別のコンポーネントとして表されているが、本発明の代替の実施形態では、第２表示デバイス２４は、本発明の実施形態に従って付属の広告を表示することを目的とした第１表示デバイス１６の専用部分を有することができる。
【００２０】
図１の実施形態では、チェックインサーバ１８は、アドバタイザ１４から付属の広告を受ける。付属の広告がチェックインサーバ１８のメモリにおいて記憶されるような実施形態では、チェックインアプリケーションの特定されたユーザを対象とする付属の広告の特定時に、チェックインサーバ１８は、第２表示デバイスの少なくとも一部分での表示のために、特定された付属の広告をユーザの第２表示デバイスへ送る。すなわち、本発明の様々な実施形態において、第２表示デバイスは、受け取られた付属の広告を第２表示デバイスの１つ以上の専用部分又はスクリーン全体で表示するよう構成される。
【００２１】
本発明の代替の実施形態では、付属の広告は、他の記憶デバイス又はメモリにおいて記憶される。付属の広告がチェックインサーバ１８のメモリではなく他の記憶デバイス又はメモリにおいて記憶されるような本発明の実施形態では、チェックインサーバ１８は、記憶されている付属の広告に関して受信された情報（すなわち、メタデータ）を使用して、付属の広告がどのような聴衆を対象とするのかを決定し、チェックインアプリケーションの特定されたユーザを対象とする付属の広告の特定時に、チェックインサーバ１８は、特定された付属の広告を提示のためにユーザの第２表示デバイスへ送るように、付属の広告が記憶されている記憶デバイス又はメモリにリクエストを送る。
【００２２】
上述されたように、図１の実施形態では、チェックインサーバ１８は、アプリケーションプロバイダ２０及び付属広告プロバイダ２２の両方を含む。図１のチェックインサーバ１８のアプリケーションプロバイダ２０は、例えば、ユーザプロファイル情報及びユーザがレビューするテレビジョンプログラムについての関連情報といった、チェックインアプリケーションコンテンツを提供し、視聴者が互いとチャットすることを可能にする。付属広告プロバイダ２２は、宣伝活動スケジュール情報及び付属の広告を受け、少なくとも１つのユーザプロファイルと相関する対応する付属の広告をユーザの第２表示デバイスへ送る。
【００２３】
図１の実施形態では、ユーザプロファイル情報はＴＶチェックインアプリケーションを用いて収集されることが記載されているが、本発明の代替の実施形態では、ユーザプロファイル情報は、ユーザの第２表示デバイス又は第１表示デバイスから、それに記憶又は入力される如何なるユーザプロファイルも収集することによって学習され得る。
【００２４】
本発明の更なる代替の実施形態では、ユーザプロファイル情報は、ユーザがかかるユーザ情報を以前に送ったＴＶネットワーク又はアドバタイザから本発明のチェックインサーバへ送られ得る。
【００２５】
加えて、図１では、チェックインサーバ１８は、別個のコンポーネントを有するものとして表されているが、本発明の代替の実施形態では、チェックインサーバ又はチェックインサーバ機能は、例えば図１のＴＶセット１６のような第１表示デバイス、例えばセットトップボックス（図示せず。）のような第１表示デバイスのコントローラ、例えば図１の携帯電話機２４のような第２表示デバイス、又はあらゆる他のモバイル通信デバイスのうちの少なくとも１つにおいて一体化されたコンポーネント又は機能を有することができる。
【００２６】
本発明の代替の実施形態では、主たるディスプレイ１６において表示される主たるプログラムとともに広告が提示されるべき放送スケジュールに関する情報も、チェックインサーバ１８へ送られる。すなわち、本発明の一実施形態において、ＴＶネットワーク１２は、様々なアドバタイザから映像広告を受け、広告がいつ放送されるかを記述するタイムスケジュールをアドバタイザ１４に提供する。次いで、アドバタイザ１４は、かかる情報を、例えば、付属の広告とともに、チェックインサーバ１８へ提供することができる。本発明のかかる実施形態では、チェックインサーバは、主たる広告の放送時間を使用して、関連のある主たる広告の提示と一致した又は該提示に対する時点における提示のために、選択されている主たる広告に関連した付属の広告を送る。本発明のかかる実施形態では、ＴＶチェックインアプリケーションは、主たるディスプレイ１６で提示されているＴＶチャンネル及びプログラムをチェックインサーバ１８に知らせる。
【００２７】
図２は、本発明の実施形態に従って、図１のシステムにおいて実施され得るチェックインサーバ１８の高位ブロック図を表す。図２のチェックインサーバは、プロセッサ２１０と、制御プログラム、命令、ソフトウェア、映像コンテンツ、宣伝活動コンテンツ及び同様のものを記憶するメモリ２２０とを有する。プロセッサ２１０は、例えば電源、クロック回路、キャッシュメモリ及び同様のもの並びにメモリ２２０に記憶されているソフトウェアルーチンを実行するのを支援する回路のような、従来のサポート回路構成２３０と協働する。そのようなものとして、ソフトウェアプロセスとしてここで論じられるプロセスステップのいくつかは、ハードウェア内で、例えば、様々なステップを実行するようプロセッサ２１０と協働する回路構成として、実施されてよいことが考えられる。チェックインサーバ１８は、チェックインサーバ１８と通信する様々な夫々の機能要素間のインターフェイスを形成する入出力回路構成２４０を更に有する。本開示の全体を通じて知られるように、メモリ２２０は、ハードディスク記憶デバイス、静的ＲＡＭ、ＤＲＡＭ、ＲＯＭ、など、又はそれらの組み合わせであることができる。
【００２８】
図２のチェックインサーバは、本発明に従う様々な制御機能を実行するようプログラムされる汎用のコンピュータとして表されているが、本発明は、ハードウェアにおいて、例えば、特定用途向け集積回路（ＡＳＩＣ）として、実施され得る。そのようなものとして、ここで記載されるプロセスステップは、ソフトウェア、ハードウェア、又はそれらの組み合わせによって同じく実行されるものとして幅広く解釈されるよう意図される。
【００２９】
Ａｕｄｉ  Ａ８自動車のための広告の次の例は、付属の広告の分配のための本発明の実施形態を記載するために使用される。
【００３０】
●フルサイズ高級セダンであるＡｕｄｉ  Ａ８のためのＴＶ広告は、第１表示スクリーン（例えば、ＴＶセット）において表示される。
【００３１】
●第１表示スクリーンでＡｕｄｉ  Ａ８についての広告を見ている３０歳のＴＶ視聴者“ビル”に関して、Ａｕｄｉのスポーツ性能を強調する具体的な付属の広告が、彼の第２表示デバイス（例えば、携帯電話機）のスクリーン上のサイドバーに現れる。具体的な付属の広告のテキストの例は、以下を含むことができる：
よりスポーツ指向の見た目のために、Ａｕｄｉ  Ａ８スポーツパッケージは、夏用タイヤとして印象的な２０インチ、５セグメントスポークホイールを装備し、ハンドリング及びドライビングダイナミクスの向上を実現する。スポーツ・リア・ディファレンシャルを備えたＡｕｄｉのアダプティブ・エア・スポーツ・サスペンションは、真のスポーツカー・ハンドリングを生み出す最新のハンドリングを提供する。内装には、運転者及び同乗者用のランバーサポート、換気シート、及び６ウェイ・メッセージファンクションが付いた２２ウェイ・スポーツコンフォートシートが装備されている。シートは、ダイアモンドパターンがステッチされた黒革が使用されている
●第１表示スクリーンで同じＴＶ広告を見ている５０歳の他の視聴者“ジョージ”に関して、Ａｕｄｉの利便性の面を強調する他の付属の広告が、彼のタブレットのスクリーンのサイドバーとして現れる。具体的な付属の広告には。次が含まれ得る：
Ａｕｄｉ  Ａ８のコンビニエンスパッケージには、あなたのドライビング体験をより便利なものとする配慮の行き届いた機能が含まれている。パワードアクローズアシストは、乗り降りする際の快適性及び利便性を高める。パワートランク機能は、ボタンを押すことでトランクの開閉を可能にする。更には、Ａｕｄｉパーキングシステムは、フロント及びリアに装備した超音波パーキングセンサを用いることで、障害物との距離を測り、危険な場合には自動で警告を発する。パッケージには更にキーレスエントリが含まれ、ポケットや鞄からキーを取り出さずにドアの施錠／解錠及びエンジン始動が可能。
【００３２】
●例えばカナダのカルガリーなどの極寒地に住み、真冬の夕方にＡｕｄｉ  Ａ８に関する同じＴＶ広告を見ている更なる他のＴＶ視聴者“フランク”に関して、寒い季節の間のＡｕｄｉの改善されたドライビング体験を強調する他の特定の付属の広告が、彼の携帯電話機のスクリーンに現れる。具体的な付属の広告のテキストの例は、以下を含むことができる：
標準的なフロント加温シートに加えて、Ａｕｄｉ  Ａ８コールドウェザーパッケージは、リアシートでも多段階のシート加温システムにより理想的な快適さを提供する。このシステムは、シートの表面全体を温めるよう設計されており、簡易ボタンにより加温が開始される。ボリューム制御、ラジオ及びＣＤトラック選択、ナビゲーションボイスプロンプト及び電話発信への容易なアクセスを提供するとともに高速ギアチェンジを可能にするシフトパドルを備えたヒーター付き多機能ステアリングホイールも含まれる。リアシート開口部によるスキーサックは、既に広々としたＡ８内部のストレージ空間及び使い勝手を最適化する。
【００３３】
上記の第１の例では、３０歳男性のビルは、彼が主たるＡｕｄｉ広告を放送するチャンネルを見ていることを示すためにＴＶチェックインアプリケーションを使用したことにより、彼の携帯電話機のスクリーンのサイドバーにおいてＡｕｄｉ  Ａ８のスポーツ性能に関する付属の広告を提示される。図１のチェックインサーバ１８のようなチェックインサーバは、ＴＶチェックインアプリケーションを使用してビルにより入力されたビルのプロファイルから情報を取り出した。チェックインサーバ１８は、付属広告データベースを検索し、ビルのユーザプロファイルと整合した付属の広告、この場合には、Ａｕｄｉ  Ａ８のスポーツ性能に関する付属の広告を特定した。本発明のこの実施形態では、Ａｕｄｉ  Ａ８のスポーツ性能に関する付属の広告は、ビルの年齢グループを含む対象聴衆を対象とするものとして特定された。次いで、Ａｕｄｉ  Ａ８のスポーツ性能に関する付属の広告は、付属の広告を表示するために予め構成されたビルの携帯電話機のスクリーンのサイドバーへ送られた。
【００３４】
上記の第２の例では、中年男性のジョージは、彼が主たるＡｕｄｉ広告を放送するチャンネルを見ていることを示すためにＴＶチェックインアプリケーションを使用したことにより、彼のタブレットのスクリーンのサイドバーにおいてＡｕｄｉ  Ａ８の利便性に関する付属の広告を提示される。図１のチェックインサーバ１８のようなチェックインサーバは、ＴＶチェックインアプリケーションを使用してジョージにより入力されたジョージのプロファイルから情報を取り出した。チェックインサーバ１８は、付属広告データベースを検索し、ジョージのユーザプロファイルと整合した付属の広告、この場合には、Ａｕｄｉ  Ａ８の利便性に関する付属の広告を特定とした。本発明のこの実施形態では、Ａｕｄｉ  Ａ８の利便性に関する付属の広告は、ジョージの年齢グループを含む対象聴衆を対象とするものとして特定された。次いで、Ａｕｄｉ  Ａ８の利便性に関する付属の広告は、付属の広告を表示するために予め構成されたジョージのタブレットのスクリーンのサイドバーへ送られた。
【００３５】
上記の最後の例では、極寒地に住む男性のフランクは、彼が主たるＡｕｄｉ広告を放送するチャンネルを見ていることを示すためにＴＶチェックインアプリケーションを使用したことにより、彼の携帯電話機のスクリーンにおいてＡｕｄｉ  Ａ８の寒中性能に関する付属の広告を提示される。図１のチェックインサーバ１８のようなチェックインサーバは、ＴＶチェックインアプリケーションを使用してフランクにより入力されたフランクのプロファイルから情報を取り出した。チェックインサーバ１８は、付属広告データベースを検索し、フランクのユーザプロファイルと整合した付属の広告、この場合には、Ａｕｄｉ  Ａ８の寒中性能に関する付属の広告を特定とした。本発明のこの実施形態では、Ａｕｄｉ  Ａ８の寒中性能に関する付属の広告は、フランクの地理的位置を含む対象聴衆を対象とするものとして特定された。次いで、Ａｕｄｉ  Ａ８の寒中性能に関する付属の広告は、フランクの携帯電話機のスクリーンへ送られた。
【００３６】
図３は、本発明の実施形態に従って、付属の広告の分配のための方法のフロー図を表す。図３の方法３００は、ユーザプロファイルが受け取られるステップ３０２から開始する。例えば、本発明の一実施形態において、ユーザは、例えば第２スクリーンデバイスにおいて、ＴＶチェックインアプリケーションのようなチェックインアプリケーションを実施して、ユーザプロファイル情報を入力する。ユーザプロファイル情報は、次いで、本発明のチェックインサーバへ送られる。上述されたように、本発明の代替の実施形態では、ユーザプロファイル情報は、ネットワークプロバイダ、アドバタイザ又はユーザデバイス（例えば、第２表示デバイス）のような代替のソースから受け取られ得る。方法３００は、次いでステップ３０４へ進む。
【００３７】
ステップ３０４で、データベースは、受け取られたユーザプロファイルに関連する付属の広告を検索される。例えば、上述されたように、本発明の一実施形態において、付属の広告は、付属の広告が対象とする対象聴衆又はユーザを特定するために使用されるメタデータを用いて特定され得る。方法３００は、次いでステップ３０６へ進む。
【００３８】
ステップ３０６で、受け取られたユーザプロファイルに関連する付属の広告は、第２表示デバイスのスクリーンの少なくとも一部分において表示されるよう、第２表示デバイスへ送られる。方法３００は、次いで終了され得る。
【００３９】
方法３００は、任意のステップ３０８を更に有することができる。ステップ３０８の間に、主たるディスプレイでの主たる広告の提示時間に関する情報が受け取られ得る。それにより、主たる広告に関連する付属の広告は、関連する付属の広告が提示のために選択される場合に、主たる広告と一致した又はそれに対する時点で提示され得る。
【００４０】
本発明の代替の実施形態では、本発明のチェックインサーバは、ＴＶ広告に関連した宣伝活動スケジュール及び付属の広告を、それらがアドバタイザから受け取られると直ぐに記憶する。ＴＶプログラム及び主たる広告の放送時間が近い場合に、チェックインサーバは、ＴＶプログラム及び主たる広告が放送される予定のＴＶチャンネルを現在見ているユーザのリストを取り出す。そのような情報は、チェックインアプリケーションに入力された情報から取り出され得る。本発明のチェックインサーバは、次いで、付属の広告が記憶されているデータベースを検索して、特定されたチェックインユーザの、例えば誕生日、地理的位置、などのようなプロファイル情報と一致若しくは整合又は関連する対象の視聴者／聴衆特性を持つ記憶された付属の広告を見つけようと試みる。本発明のチェックインサーバは、次いで、付属の広告がどのユーザに関係があるのかに基づき、ユーザ及び関連する／相関している付属の広告をグループに分けることができる。
【００４１】
然るべく分けられると、ユーザのプロファイル及び関心に高度に的を絞った付属の広告は、主たるＴＶ広告の提示と一致した又はそれに対する時点におけるユーザの第２スクリーンデバイスの少なくとも一部分での提示のために、ユーザの第２スクリーンデバイスへプッシュ又は送信される。
【００４２】
特定の主たる広告についての放送／開始時間スケジュールが提供されない実施形態では、特定の主たる広告についての放送／開始時間スケジュールは、次の２つの方法によって取得され得る。第１の方法では、一意的なウォータマークが主たる広告に埋め込まれ、主たる広告を含むＴＶプログラムを捕捉し、例えば、第２スクリーンデバイスにおけるＴＶチェックインアプリケーションを用いて、ウォータマークを抽出しようと試みることができる。抽出されたウォータマークは、次いで、ウォータマークに関連する主たる広告の情報を持つチェックインサーバへ送られ得る。第２の方法では、デジタルフィンガープリントが前もって主たる広告から抽出され、フィンガープリントは、チェックインサーバで実時間において全ての放送中のＴＶ広告から抽出されるフィンガープリントと比較される。一致が見つけられる場合は、特定の主たるＴＶ広告が現在放送されていると推定される。
【００４３】
付属の広告の分配のための方法、装置及びシステムについての様々な実施形態（限定ではなく実例であるよう意図される。）が記載されてきたが、上記の教示を鑑みて当業者によって変更及び変形がなされ得ることが知られる。従って、変更は、本発明の適用範囲及び主旨の範囲内で、開示されている本発明の特定の実施形態においてなされてよいことが理解されるべきである。上記は、本発明の様々な実施形態を対象としており、一方、本発明の他の及び更なる実施形態は、その基本的な範囲から逸脱することなしに考案され得る。
【図１】
2016533084.tif 000003
【図２】
2016533084.tif 000004
【図３】
2016533084.tif 000005
【手続補正書】
【提出日】平成28年8月4日(2016.8.4)
【手続補正１】
【補正対象書類名】明細書
【補正対象項目名】００４３
【補正方法】変更
【補正の内容】
【００４３】
付属の広告の分配のための方法、装置及びシステムについての様々な実施形態（限定ではなく実例であるよう意図される。）が記載されてきたが、上記の教示を鑑みて当業者によって変更及び変形がなされ得ることが知られる。従って、変更は、本発明の適用範囲及び主旨の範囲内で、開示されている本発明の特定の実施形態においてなされてよいことが理解されるべきである。上記は、本発明の様々な実施形態を対象としており、一方、本発明の他の及び更なる実施形態は、その基本的な範囲から逸脱することなしに考案され得る。  
上記の実施形態に加えて、以下の付記を開示する。
（付記１）
付属の広告の分配のための方法であって、
プロファイル情報を受け取るステップと、
受け取られた前記プロファイル情報に関連する付属の広告をデータベースから探すステップと、
表示デバイスのスクリーンの少なくとも一部分での提示のために、前記受け取られたプロファイル情報に関連する付属の広告を前記表示デバイスへ送るステップと
を有する方法。
（付記２）
少なくとも１つの付属の広告に関連する主たる広告がいつ第１表示デバイスで提示されるべきかに関する情報を受け取るステップ
を有する付記１に記載の方法。
（付記３）
前記第１表示デバイスでの前記関連する主たる広告の提示と一致した又は該提示に対する時点で、第２表示デバイスのスクリーンでの提示のために送られた付属の広告を提示するステップ
を有する付記２に記載の方法。
（付記４）
第１表示デバイスで提示されているプログラム及びチャンネルの少なくとも１つに関する情報を受け取るステップ
を有する付記１に記載の方法。
（付記５）
前記第１表示デバイスで提示されている前記プログラムと一致した又は該プログラムに対する時点で、前記第１表示デバイスで提示されている前記プログラムに関連する付属の広告を提示するステップ
を有する付記４に記載の方法。
（付記６）
付属の広告は、該付属の広告が提示されるよう意図される対象聴衆及び視聴者の少なくとも１つの特性を特定するメタデータを含む、
付記１に記載の方法。
（付記７）
前記表示デバイスは、第２表示デバイスを有し、
プログラムコンテンツ及び主たる広告は、第１表示デバイスにおいて提示される、
付記１に記載の方法。
（付記８）
付属の広告を受け取るステップと、
前記付属の広告を記憶するステップと
を有する付記１に記載の方法。
（付記９）
前記プロファイル情報は、視聴者入力を受けるチェックインアプリケーション、アドバタイザ、テレビジョンネットワーク、及び表示デバイスのうちの少なくとも１つから受け取られる、
付記１に記載の方法。
（付記１０）
前記プロファイル情報は、少なくとも１つの付属の広告の意図された視聴者の特性情報を有する、
付記１に記載の方法。
（付記１１）
異なる表示デバイスへの通信のためにプロファイル特性を介して付属の広告をグループ化するステップ
を有する付記１に記載の方法。
（付記１２）
付属の広告を分配する装置であって、
プログラムルーチン、コンテンツ及びデータを記憶するメモリと、
前記プログラムルーチンを実行するプロセッサと
を有し、当該装置は、
プロファイル情報を受け取り、
受け取られた前記プロファイル情報に関連する付属の広告をデータベースから探し、
表示デバイスのスクリーンの少なくとも一部分での提示のために、前記受け取られたプロファイル情報に関連する付属の広告を前記表示デバイスへ送る
よう構成される、装置。
（付記１３）
前記プロファイル情報を受け取るアプリケーションプロバイダと、
前記受け取られたプロファイル情報に関連する付属の広告をデータベースから探し、表示デバイスのスクリーンの少なくとも一部分での提示のために、前記受け取られたプロファイル情報に関連する付属の広告を前記表示デバイスへ送る付属広告プロバイダと
を有する付記１２に記載の装置。
（付記１４）
当該装置は、セットトップボックス、表示デバイス、及びモバイル通信デバイスのうちの少なくとも１つの少なくとも一部分を有する、
付記１２に記載の装置。
（付記１５）
当該装置は、
少なくとも１つの付属の広告に関連する主たる広告がいつ第１表示デバイスのスクリーンで提示されるべきかに関する情報を受け取り、
前記第１表示デバイスのスクリーンでの前記主たる広告の提示と一致した又は該提示に対する時点における第２表示デバイスのスクリーンでの提示のために関連する付属の広告を送る
よう更に構成される、
付記１２に記載の装置。
（付記１６）
付属の広告を分配するシステムであって、
少なくとも１つの付属の広告を記憶するデータベースと、
プログラミングコンテンツ及び主たる広告を表示する第１表示デバイスと、
付属の広告を表示する第２表示デバイスと、
プロファイル情報を受け取り、
受け取られた前記プロファイル情報に関連する付属の広告を前記データベースから探し、
前記第２表示デバイスのスクリーンの少なくとも一部分での提示のために、前記受け取られたプロファイル情報に関連する付属の広告を前記第２表示デバイスへ送る
よう構成される装置と
を有するシステム。
（付記１７）
前記第２表示デバイスは、ユーザが前記プロファイル情報を入力することを可能にするチェックインアプリケーションを有する、
付記１６に記載のシステム。
（付記１８）
前記第２表示デバイスは、前記第１表示デバイスで提示されているプログラム及びチャンネルの少なくとも１つに関する情報を前記装置へ与える、
付記１７に記載のシステム。
（付記１９）
前記装置は、
少なくとも１つの付属の広告に関連する主たる広告がいつ前記第１表示デバイスのスクリーンで提示されるべきかに関する情報を受け取り、
前記第１表示デバイスのスクリーンでの前記主たる広告の提示と一致した又は該提示に対する時点における前記第２表示デバイスのスクリーンでの提示のために関連する付属の広告を送る
よう更に構成される、
付記１６に記載のシステム。
【国際調査報告】
2016533084.tif 000006
2016533084.tif 000007